(57)【要約】【課題】  閉扉装置の操作性を向上し、建具からの突起部分や露出部分を極力減少せしめ、意匠性を向上させ、閉扉時の危険性を回避し、老人にも子供にも使い勝手のよい閉扉装置を提供すると共に、環境に配慮したリサイクル性を有する閉扉装置を提供する。【解決手段】  扉５の開扉時において、ステー１２に設けられたローラ１４が、本体１に対して略９０°の位置で係止され、受け部材３の略Ｊ字形の溝３１から外れ、扉５は開扉方向に移動自由となり、閉扉時においては、ローラ１４が受け部材３の略Ｊ字形の溝３１に挿入嵌合されると同時に、ステー１２およびリンク１３が扉５の閉扉力によって回動し始め、ダンパ２のピストン棒２ｂを平行方向に移動圧縮し、その後、ダンパ２のピストン棒２ｂは伸び始め、リンク１３を介してステー１２を框４側に回動させ、受け部材３の略Ｊ字形の溝３１の内側面に沿ってローラ１４を呼び込むように移動せしめ、扉５をゆっくりと框４側に引き寄せ閉扉する。【選択図】図１
2005336983.tif 000002
【特許請求の範囲】
【請求項１】
扉開口部の上框に取り付けられるケースの一端に、軸を介してケース内に内装されるダンパと、前記ケースのもう一方の端部には、略コ字形状に成形され、一方は短い支持部が設けられ、他方は長く伸ばされたアーム部を有し、前記アーム部先端には軸を介してローラが回動可能に係止され、一方ケース内に収納される支持部にはケース内で回動可能にケースに軸を介して係止するための軸穴と、前記ダンパのピストン棒を平行移動可能にするためのリンクを、軸によって係止する軸穴とを設けたステートとからなる本体と、扉上面に取り付けられ、略Ｊ字形の溝を内側面に設けた受け部材とで構成され、開扉時においては、ステーに設けられたローラが受け部材の略Ｊ字形の溝から外れ、本体に対して略９０°の位置でダンパの力によって係止され、扉は開扉方向に移動自由となり、閉扉時においては、前記ローラが受け部材の略Ｊ字形の溝に挿入嵌合されると同時に、ステーおよびリンクが回動し始め、ケースに軸を介して係止するための軸穴と、リンクを軸によって係止する軸穴とが平行に並ぶ迄ダンパのピストン棒を平行方向に移動圧縮し、２つの軸穴が平行に並んだ以後、ダンパのピストン棒は伸び始め、リンクを介してステーを框側に回動させ、受け部材の略Ｊ字形の溝を内側面に沿って引き込むようにローラを移動せしめ、扉をゆっくりと框側に引き込むようにして、閉扉することを特徴とした閉扉装置。
【請求項２】
扉の上端に取り付けられるケースの一端に、軸を介してケース内に内装されるダンパと、前記ケースのもう一方の端部には、略コ字形状に成形され、一方は短い支持部が設けられ、他方は長く伸ばされたアーム部を有し、前記アーム部先端には軸を介してローラが回動可能に係止され、一方ケース内に収納される支持部にはケース内で回動可能にケースに軸を介して係止するための軸穴と、前記ダンパのピストン棒を平行移動可能にするためのリンクを、軸によって係止する軸穴とを設けたステートとからなる本体と、扉開口部の上框に取り付けられ、略Ｊ字形の溝を内側面に設けた受け部材とで構成され、開扉時においては、ステーに設けられたローラが受け部材の略Ｊ字形の溝から外れ、本体に対して略９０°の位置でダンパの力によって係止され、扉は開扉方向に移動自由となり、閉扉時においては、前記ローラが受け部材の略Ｊ字形の溝に挿入嵌合されると同時に、ステーおよびリンクが回動し始め、ケースに軸を介して係止するための軸穴と、リンクを軸によって係止する軸穴とが平行に並ぶ迄ダンパのピストン棒を平行方向に移動圧縮し、２つの軸穴が平行に並んだ以後、ダンパのピストン棒は伸び始め、リンクを介してステーを扉側に回動させ、受け部材の略Ｊ字形の溝を内側面に沿って呼び込むようにローラを移動せしめ、扉をゆっくりと框側に引き寄せるようにして、閉扉することを特徴とした閉扉装置。
【請求項３】
本体を構成する各部品を軸止する軸は，軸の中心側に溝を設け，前記溝には，止め輪を装着することにより，カシメ等の機械的な係止方法を廃して組み立てられるため、簡易に解体できるようしたことを特徴とする請求項１及び請求項２記載の閉扉装置。
【請求項４】
ステーのアーム部がケースの内側面、または外側面にあっても、ダンパの伸縮速度に連動して、扉をゆっくりと閉扉するように作動させたことを特徴とする請求項１記載の閉扉装置。
【発明の詳細な説明】
【技術分野】
【０００１】  本発明は、開き戸が急速に閉じても、扉をゆっくりと閉じるための閉扉装置に関するものである。
【背景技術】
【０００２】  従来の閉扉装置には、例えば実公昭５７−４１３３３号公報のように、コ字状取付枠にＬレバーの短片側の一端を枢着し、ダッシュポットのピストン軸を前記Ｌレバーの折曲点に、またシリンダーを取付枠にそれぞれ枢着すると共に、発条によりピストンを一方に押圧せしめ、扉を開ける時は壁枠に取付けたフックプレートにより、Ｌレバーを発条に抗して反対に回動せしめ、死点を越した時に係止するようにし、一方扉を閉める時は閉止寸前、フックプレートによりＬレバーを反対に回動せしめ、死点を超えて発条により復帰する際、ダッシュポットを作用せしめるようにした自動閉扉装置において、コ字状取付け枠の中央片と同一平面上で、取付片を左右に突出せしめると共に、上端には左右両片とは反対側に折曲げた係止片を設け、係止片を扉の上端に引掛けながら取付片に設けた孔により取付枠を扉に固定するようにした自動閉扉装置の取付枠があった。【０００３】  また、実公昭５７−３４２９５号公報においては、油圧シリンダーを垂直に装置した掘込型のドアクローザにおいて、矩形の振れ止め板の中心線上に長辺と平行に連続円孔を穿ち、該振れ止め板をフレームの底板下面に螺着すると共に、出入口かまちに掘込むべきローラ受函の側板には、垂直方向にならぶことがない位置に、複数の突片を下方に向けて側板より切り起して突出させたドアクローザーが開示されている。
【発明の開示】
【発明が解決しようとする課題】
【０００４】  従来の閉扉装置は、コ字状取付けケースの中央片と同一平面上で、取付片を左右に突出せしめると共に、上端には左右両片とは反対側に折曲げた係止片を設け、係止片を扉の上端に引掛けながら取付片に設けたねじ孔により、扉に固定するようにしたケースであるため、開き扉の上部に露出して、扉のほぼ中央部に配されているため、見苦しく、意匠的に問題があった。【０００５】  また、扉の開き方向に、前述の方式で取付けられ、受け部材も扉開口部の上框に露出して取付けられる形式のため、框の形状によっては取付けられないこともあり、施工上において問題があった。【０００６】  さらに、閉扉装置の大部分が、扉と框側が連結される構造で、常に扉を閉じようとする方向に負荷がかかっており、老人や子供にとって開閉する扉が重くなり、扉の開閉が負担のかかるものであった。【０００７】  同時に、閉扉装置の多くは、油圧などのダンパを用いた構造のものがほとんどのため、油漏れ等を防止するため頑丈に作られており、分解解体をするのが困難であるため廃棄時において各部品を分別廃棄することが難しい等の問題点があった。
【課題を解決するための手段【０００８】  扉開口部の上框に取り付けられるケースの一端に、軸を介してケース内に内装されるダンパと、前記ケースのもう一方の端部には、略コ字形状に成形され、一方は短い支持部が設けられ、他方は長く伸ばされたアーム部を有し、前記アーム部先端には軸を介してローラが回動可能に係止され、一方ケース内に収納される支持部にはケース内で回動可能にケースに軸を介して係止するための軸穴と、前記ダンパのピストン棒を平行移動可能にするためのリンクを、軸によって係止する軸穴とを設けたステートとからなる本体と、扉上面に取り付けられ、略Ｊ字形の溝を内側面に設けた受け部材とで構成され、開扉時においては、ステーに設けられたローラが受け部材の略Ｊ字形の溝から外れ、本体に対して略９０°の位置でダンパの力によって係止され、扉は開扉方向に移動自由となり、閉扉時においては、前記ローラが受け部材の略Ｊ字形の溝に挿入嵌合されると同時に、ステーおよびリンクが回動し始め、ケースに軸を介して係止するための軸穴と、リンクを軸によって係止する軸穴とが平行に並ぶまでダンパのピストン棒を平行方向に移動圧縮し、２つの軸穴が平行に並んだ以後、ダンパのピストン棒は伸び始め、リンクを介してステーを框側に回動させ、受け部材の略Ｊ字形の溝を内側面に沿って引き込むようにローラを移動せしめ、扉をゆっくりと框側に引き込むように閉扉せしめた。【０００９】  さらに、扉の上端に取り付けられるケースの一端に、軸を介してケース内に内装されるダンパと、前記ケースのもう一方の端部には、略コ字形状に成形され、一方は短い支持部が設けられ、他方は長く伸ばされたアーム部を有し、前記アーム部先端には軸を介してローラが回動可能に係止され、一方ケース内に収納される支持部にはケース内で回動可能にケースに軸を介して係止するための軸穴と、前記ダンパのピストン棒を平行移動可能にするためのリンクを、軸によって係止する軸穴とを設けたステートとからなる本体と、扉開口部の上框に取り付けられ、略Ｊ字形の溝を内側面に設けた受け部材とで構成され、開扉時においては、ステーに設けられたローラが受け部材の略Ｊ字形の溝から外れ、本体に対して略９０°の位置でダンパの力によって係止され、扉は開扉方向に移動自由となり、閉扉時においては、前記ローラが受け部材の略Ｊ字形の溝に挿入嵌合されると同時に、ステーおよびリンクが回動し始め、ケースに軸を介して係止するための軸穴と、リンクを軸によって係止する軸穴とが平行に並ぶまでダンパのピストン棒を平行方向に移動圧縮し、２つの軸穴が平行に並んだ以後、ダンパのピストン棒は伸び始め、リンクを介してステーを扉側に回動させ、受け部材の略Ｊ字形の溝を内側面に沿って呼び込むようにローラを移動せしめ、扉をゆっくりと框側に引き寄せるようにした（図示せず）。【００１０】  また、本体を構成する各部品を軸止する軸は，軸の中心側に溝を設け，前記溝には，止め輪を装着することにより，カシメ等の機械的な係止方法を廃して組み立てられるため、簡易に解体できるように閉扉せしめた。【００１１】  そして、ステーのアーム部がケースの内側面、または外側面にあっても、ダンパの伸縮速度に連動して、扉をゆっくりと閉扉するように作動させるようにした。
【発明の効果】
【００１２】    本発明によれば、ダンパの伸縮速度を緩慢にすることにより、扉をゆっくりと閉じるようにしたため、突風や過剰な力が扉に掛って起こる突然の扉の閉扉状態において、指詰め等の危険性を回避でき、かつダンパのピストン棒をリンクを介して平行移動可能としたため、全体を小型化することができ、扉開口部の上框に本体を埋め込み、受け部材を扉の上端縁に埋め込め、また、扉開口部の上框に受け部材を取付け、本体を扉の上端縁に埋め込める等、意匠的にも目立つことがなくなり、納まり勝手が良く、施工性もし易くなった。【００１３】  さらに、本体を構成する各部品を軸止する軸は，軸の中間付近に溝を設け，前記溝には，止め輪を装着することにより，カシメ等の機械的な係止方法を廃することにより、簡易に解体できるため、リサイクル作業を容易にしたことにより、環境に対しても優しい等の効果がある。
【実施例】
【００１４】  本発明の一実施形態を、図によって説明する。【００１５】  図１は、本発明の閉扉装置の本体１を斜め上から見た斜視図であり、１１はケース、１２はステー、２はダンパ、３は受け部材で３１は、前記受け部材３の内側面に設けられた略Ｊ字形の溝である。【００１６】  図２は、本体１の組立斜視図を示し、ダンパ２は軸２０を介してケース１１に内装固定されるが、軸２０は止め輪２３によって分解可能にケース１１内壁に係止される。【００１７】  ダンパ２のピストン棒２ｂは、保持材１５の溝に伸縮可能に嵌挿され、リベット２１によってケース１１内に安定装着されるため、ダンパ２自体は回動することなくピストン棒２ｂのみがケース１１に対して平行にケーシング２ａ内に伸縮移動するのである。【００１８】  ピストン棒２ｂの先端は、リンク１３の一端に設けられた軸穴に、軸１８を介して係止されるが、軸１８は止め輪２３によって分解可能にリンク１３の外壁に係止される。【００１９】  また、リンク１３の多端の軸穴を介して、ステー１２の支持部１２ｂの軸穴に、軸１９を介して止め輪２３によって支持部１２ｂの内壁に分解可能に係止され、ダンパ２のピストン部２ｂの平行な伸縮運動を回転運動に変換するのである。【００２０】  ステー１２のもう一方の軸穴には、軸１７を介してステー１２及びワッシャー２２がステー１２の内壁面に止め輪２３によって分解可能に係止され、ステー１２のアーム部１２ａの先端部にはリベット１６によってローラ１４が回転可能に係止され、本発明の閉扉装置の本体１を構成する。【００２１】  上記のような構成の本体１であるため、扉５の開扉時にステー１２に設けられたローラ１４が、本体１に対して略９０°の位置でダンパ２の力によって係止されるため、受け部材３の略Ｊ字形の溝３１から外れ、扉５は開扉方向に移動自由となる。【００２２】  さらに、閉扉時においては、ローラ１４が受け部材３の略Ｊ字形の溝３１に挿入嵌合されると同時に、ステー１２およびリンク１３が扉６の閉扉力によって回動し始め、ステー１２がケース１１に軸１７を介して係止される軸穴と、リンク１３を軸１９によって係止される軸穴が平行に並ぶ支点までダンパ２のピストン棒２ｂを平行方向に移動圧縮し、ケーシング２ａ内に収まる。【００２３】  このとき、ピストン棒２ｂは保持材１５の溝に嵌挿され、リベット２１によってケース１１内に安定装着されるため、リンク１３の回転運動を円滑な平行運動に変換できるよう設けているため、ケース１１をダンパ２のケーシング２ａを内装可能な寸法に設定したため、框４や扉５に収まりの良い形状に成形可能となる。【００２４】  そして、ステー１２がケース１１に軸１７を介して係止される軸穴と、リンク１３を軸１９によって係止される２つの軸穴が平行に並んだ後、ダンパ２のピストン棒２ｂはゆっくりと伸び始め、リンク１３を介してステー１２を回動し、受け部材３の略Ｊ字形の溝３１の内側面に沿って呼び込むようにローラ１４を移動せしめ、扉５をゆっくりと框４側に引き寄せ閉扉する。【００２５】  また、ダンパ２は、ケーシング２ａ内の抵抗媒体によって、ピストン棒２ｂが圧縮される場合には抵抗感を持たせ、ピストン棒２ｂが伸びる場合はゆっくりと動作する���う設定しているため、ダンパ２の伸縮速度を緩慢にすることができ、扉５をゆっくりと閉じ、突風や過剰な力が扉５に掛って起こる突然の閉扉状態においても、指詰め等の危険性が回避できるのである。【００２６】  図３は、本実施形態の取付け状態を説明する斜視図で、３は受け部材、４は框、５は扉、６は蝶番であり、１２はステーであり、ステー１２が本体１に対して略９０°の位置でダンパ２の力によって係止され、受け部材３の略Ｊ字形の溝３１から外れ、扉５が開扉しようとしている状態であって、この地点から扉５は開扉自由となる。【００２７】  図４は、本実施形態の取付け状態を背面下部から見た状態を説明する斜視図であり、ケース１１をダンパ２のケーシング２ａを内装可能な寸法に設定できたため、框４の戸当り部４１に埋め込まれるよう配され、意匠的に目立たないよう設定されていることを説明している。【００２８】  図５は、閉時の本閉扉装置の平面断面図を示し、ダンパ２のピストン棒２ｂが伸び、リンク１３を介してステー１２を框４側に回動させ、受け部材３の略Ｊ字形の溝３１内側面に沿ってローラ１４を呼び込むように移動せしめ、扉５をゆっくりと框４側に引き寄せ停止した状態を説明しているが、このとき、ピストン棒２ｂは伸びる余裕を残しており、ダンパ２の力によって扉５を戸当り４１に押さえこむ形で閉扉しているのである。【００２９】  図６は、開時の本閉扉装置の平面断面図であり、開扉時においては、ステー１２のアーム部１２ａの先端部に配されたローラ１４が受け部材３の略Ｊ字形の溝３１から外れ、本体１に対して略９０°の位置でダンパ２の力によって係止固定され、扉５は開扉方向に移動自由となるところを説明している。【００３０】  図７は、ステー１２がケース１１の外壁面に露出した仕様の実施例を示す斜視図であって、ステー１２は略コ字形状ではなく、平坦な板上に形成され、軸１７によってケース１１の外壁面に固定されるが、軸１７とステー１２の携合部は円状ではなく四角形等の形状で確実にダンパ２の力がステー１２に伝達される形状に設定しておくのがよい。【００３１】  図８は、上記ステー１２がケース１１の外壁面に露出した仕様の実施例の取付け状態を説明する斜視図であって、扉５は削除してある。【００３２】  図９は、略コ字形状に成形され、一方は短い支持部１２ｂが設けられ、他方は長く伸ばされたアーム部１２ａを有し、前記アーム部１２ａの先端にはリベット１６を介してローラ１４が回動可能に係止され、一方ケース１１内に収納される支持部１２ｂにはケース１１内で回動可能に軸１７を介してケース１１に係止するための軸穴と、ダンパ２のピストン棒２ｂを平行移動可能にするためのリンク１３を、軸１９によって係止する軸穴とを設けたステート１２の斜視図である。【００３３】  図１０は、ステー１２の外壁面に露出した仕様の実施例を説明する斜視図であって、軸１７とステー１２を一体に成形した状態を示す。
【図面の簡単な説明】
【００３４】
【図１】本体の斜視図
【図２】組み立て斜視図
【図３】取付け状態を示す斜視図
【図４】取付け状態を背面から見た斜視図
【図５】閉扉時における平面断面図
【図６】開扉時における平面断面図
【図７】他の実施例を示す斜視図
【図８】他の実施例の取付け状態を示す斜視図
【図９】ステーの斜視図
【図１０】他の実施例のステーの斜視図
【符号の説明】
【００３５】  １      本体
２      ダンパ
２ｂ    ピストン棒
３      受け部材
４      框
５      扉
１１      ケース
１２      ステー
１３      リンク
１４      ローラ
１５      保持材
１６      リベット
１７・１８・１９・２０    軸
２１      リベット
２３      止め輪
４１      戸当り部
６        蝶番
【図１】
2005336983.tif 000003
【図２】
2005336983.tif 000004
【図３】
2005336983.tif 000005
【図４】
2005336983.tif 000006
【図５】
2005336983.tif 000007
【図６】
2005336983.tif 000008
【図７】
2005336983.tif 000009
【図８】
2005336983.tif 000010
【図９】
2005336983.tif 000011
【図１０】
2005336983.tif 000012